(57)【要約】システム及び方法は、イオン交換システムを備えたリード−ラグ構成を利用するために開示され、プロセス効率を向上させ、媒体利用を増加させ、システム停止時間を低減する。【選択図】  図２
2019531885.tif 000002
【特許請求の範囲】
【請求項１】
プロセス液体の連続的な処置のためのシステムであって、
１つ又は複数のイオン交換容器を含む第１のイオン交換システムと、
１つ又は複数のイオン交換容器を含む第２のイオン交換システムと、を含み、
前記システムは、方法を実行するように動作可能に構成され、前記方法は、
リード位置の前記第１のイオン交換システムに、プロセス液体を受容することであって、前記第１のイオン交換システムが前記プロセス液体から汚染物質を吸着して汚染物質の減少したプロセス液体をもたらす、受容することと、
ラグ位置の前記第２のイオン交換システムに、汚染除去物を受容することと、
その中に包含される前記１つ又は複数のイオン交換容器が所定の吸着限度に達したときに、前記システムから前記第１のイオン交換システムを保守点検のために取り外すことと、
前記第２のイオン交換システムに、プロセス液体を受容することであって、前記第２のイオン交換システムが前記リード位置にあり、前記第２のイオン交換システムが汚染物質を前記プロセス液体から吸着して汚染物質の減少したプロセス液体をもたらす、受容することと、
ラグ位置に前記第１のイオン交換システムを再導入することと、
前記第１のイオン交換システムに前記汚染物質の減少したプロセス液体を受容することと、
前記第２のイオン交換システムの中に包含される前記１つ又は複数のイオン交換容器が所定の吸着限度に達したときに、前記システムから前記第２のイオン交換システムを保守点検のために取り外すことと、
前記第１のイオン交換システムに、プロセス液体を受容することであって、前記第１のイオン交換システムが前記リード位置にあり、前記プロセス液体から汚染物質を吸着して汚染物質の減少したプロセス液体をもたらす、受容することと、
ラグ位置に前記第２のイオン交換システムを再導入することと、
を含むシステム。
【発明の詳細な説明】
【発明の詳細な説明】
【０００１】
本出願は、２０１６年９月１５日に出願された「ＭＥＴＨＯＤ  ＦＯＲ  ＯＰＴＩＭＩＺＡＴＩＯＮ  ＯＦ  ＩＯＮ  ＥＸＣＨＡＮＧＥ  ＳＹＳＴＥＭＳ」と題する米国仮特許出願第６２／３９５，２７８号に対する優先権を主張し、その全体を参照により本明細書に組み込む。
【０００２】
［著作権の通知］
[0001]本明細書に包含されているのは、著作権保護の支配下にある材料である。著作権所有者は、米国特許商標庁の特許ファイル又は記録に現れる特許書類又は特許開示物について、誰による模写複製にも反対はしないが、それを別にすれば、著作権について、それがどうであれ、すべての権利を留保する。次の通知は、下で説明するような及びそれに対する図面における、ソフトウエア、スクリーンショット、及び、データに適用され、不許複製とする。
【０００３】
［技術分野］
[0002]本開示は、一般に液体から不溶性種を物理的に除去するためのシステム及び方法に関する。
【０００４】
［背景］
[0003]水処理は、核廃水、オイル及びガスの生産による汚染水、及び、他の産業の活動からの汚染液を含む大型及び小規模の産業プロジェクト廃水にとって決定的である。幾つかの水処理方法は、濾過及びイオン交換を含む。両方法は、多くの場合、リード／ラグ処理アプローチを利用する。リード／ラグ構成は、少なくとも２つのイオン交換容器又はフィルタを利用する。２つのイオン交換容器を使用する例では、１つの容器はリード容器であり、１つはラグ容器である。リード容器は、イオンを処理液で交換する作業のうちの大半若しくは全部を実行し、他方、ラグ容器は、リード容器の早発性の漏洩や消耗を防ぐのに合致している。
【０００５】
[0004]リード容器が、破綻的な漏洩の所定レベルに達する或いは最大限に達した（即ち、もはや汚染物質を吸着できない）とき、保守点検のためにオフラインに持って行かれる場合がある。リード容器が保守点検されるとき、それがラグ容器となり、元のラグ容器は、リード容器になる。現在の技術水準の場合、これらのリード−ラグシステムは、互換性がなく、材料の流れは、リードが保守点検を必要としているときに一般的に停止される。
【０００６】
[0005]必要とされるのは、プロセス効率を向上させ、媒体利用を増加させ、システム停止時間を低減するために、イオン交換システムを備えたリード−ラグ構成を利用する連続的流動水処理のためのシステム及び方法である。
【０００７】
[0006]詳細な明細書の複雑さ及び長さを減少させるように、出願人（複数可）は、下の各パラグラフに識別される以下の材料のすべてを参照によって本明細書に明白に組み込む。組み込まれる材料は、必ずしも「先行技術」ではなく、出願人（複数可）は、組み込まれる材料のどれについてスウェアビハインドする権利を明白に留保する。
【０００８】
[0007]「Ｉｏｎ  Ｓｐｅｃｉｆｉｃ  Ｍｅｄｉａ  Ｒｅｍｏｖａｌ  ｆｒｏｍ  Ｖｅｓｓｅｌ  ｆｏｒ  Ｖｉｔｒｉｆｉｃａｔｉｏｎ」シリアル番号第１５／０１２，１０１号、優先日が２０１５年２月１日であって、２０１６年２月１日に出願され、その全体については、参照により本明細書に組み込む。
【０００９】
[0008]「Ｍｏｂｉｌｅ  Ｐｒｏｃｅｓｓｉｎｇ  Ｓｙｓｔｅｍ  ｆｏｒ  Ｈａｚａｒｄｏｕｓ  ａｎｄ  Ｒａｄｉｏａｃｔｉｖｅ  Ｉｓｏｔｏｐｅ  Ｒｅｍｏｖａｌ」シリアル番号第１４／７４８，５３５号、優先日が２０１４年６月２４日であって、２０１５年６月２４日に出願され、その全体については、参照により本明細書に組み込む。
【００１０】
[0009]出願人（複数可）が確信していることは、上で組み込まれる材料が３７  ＣＦＲ  １．５７に従って「非本質的」であるということであり、その理由は、それが背景を示す目的又は技術水準を例証する目的で参照されるからである。しかしながら、審査官が、上で組み込まれる材料のどれもが３７  ＣＦＲ  １．５７（ｃ）（１）〜（３）の意味において「本質的材料」を構成すると考える場合には、出願人（複数可）は、明細書を補正して、適用可能な規則によって許可されるように参照によって組み込まれる本質的材料を明白に列挙するであろう。
【００１１】
[0010]本明細書に提示する態様と出願については、図面及び詳細な説明において下で説明する。特に記述のない限り、意図していることは、明細書及び特許請求の範囲における単語や句が、それらの平易な通常の慣用的な意味を、適用可能な分野の当業者に与えるべきである、ということである。発明者が完全に承知していることは、彼らが必要に応じて彼ら自身の辞書編集者であり得るということである。発明者は、彼ら自身の辞書編集者として、明細書及び特許請求の範囲において用語の平易な通常の意味だけを使用することを明白に選択しているが、別途明瞭に記述し、その後に更に、その用語の「特別な」定義を明白に示して、平易な通常の意味とそれがどのように異なるかを説明する場合を除く。そういった「特別な」定義を適用する意図についての明瞭な記述を欠く場合、発明者の意図及び要望は、用語についての単純で平易な通常の意味が明細書及び特許請求の範囲の解釈に適用されるべきであるということである。
【００１２】
[0011]発明者は、英語文法の標準的な教えについても承知している。こうして、名詞、用語、又は句が、何らかの形で更に特徴付け、特定化、又は狭小化されるのを意図する場合、そういった名詞、用語、又は句は、英語文法の標準的な教えに従って、追加の形容詞、説明的な用語、又は他の修飾語を明白に含むであろう。そういった形容詞、説明的な用語、又は修飾語の使用を欠く場合、意図することは、そういった名詞、用語、又は句が、それらの平易な通常の英語の意味を、上で述べたような適用可能な分野の当業者に与えるべきである、ということである。
【００１３】
[0012]更に、発明者は、米国特許法第１１２条、第６段落の特別規定の基準及び適用について完全に通じている。したがって、詳細な説明や図面の説明、或いは、特許請求の範囲における単語「機能」、「手段」又は「ステップ」の使用は、米国特許法第１１２条、第６段落の特別規定を何らかの形で引き合いに出して、本明細書に開示するシステム、方法、プロセス、及び／又は装置を定義する要求を示す、ということを意図していない。それとは反対に、米国特許法第１１２条、第６段落の規定を引き合いに出して、実施形態を定義することが求められる場合、特許請求の範囲は、正確な句「ための手段」又は「ためのステップ」を具体的に明白に記述するであろうし、また、そういった句において、機能をサポートする構造、材料又は動きを何も列挙することなしに、単語「機能」も列挙するであろう（すなわち、「・・・の機能を実行するための手段」と記述するであろう）。したがって、特許請求の範囲が、「・・・の機能を実行するための手段」又は「・・・の機能を実行するためのステップ」と列挙するときでさえ、特許請求の範囲が、その手段又はステップをサポートするか或いは列挙した機能を実行する、どんな構造、材料、若しくは動きも列挙する場合に、発明者の明瞭な意図は、米国特許法第１１２条、第６段落の規定を引き合いに出さないことである。その上、米国特許法第１１２条、第６段落の規定が、権利請求した実施形態を定義するために、引き合いに出されるときでさえ、意図することは、実施形態が、好適な実施形態に説明されている特定の構造、材料又は動きだけに限定されない、ということであり、それに加えて、代替の実施形態に又は形式で説明されているように権利請求した機能を実行する、或いは、よく知られた現在の又は後に開発される権利請求した機能を実行するための等価な構造、材料又は動きである、任意の及びすべての構造、材料又は動きを含む、ということである。
【００１４】
[0013]本明細書に開示されるシステム、方法、プロセス、及び／又は、装置のより完全な理解については、以下の例証的な図面に関連して考慮するときに、詳細な説明を参照することによって、導き出されることがある。図面において、同様の参照番号は、図面を通じて同様の要素又は動きを指す。
【図面の簡単な説明】
【００１５】
【図１】３つのイオン特定媒体（ＩＳＭ）容器を含む例示的なスキッドの実施形態を示す図である。
【図２】並列及び／又は直列で動作し得るように連結される２つのスキッドを示す図である。
【図３】プロセス流れがスキッドＡを最初に通して次いでスキッドＢを通して方向付けされる初期の流れの構成を示す図である。
【図４】スキッドＡのすべての３つの容器が部分的に積載されているときの図３の構成を示す図である。
【図５】スキッドＡの最初の容器が最大限に達したときの図３の構成を示す図である。
【図６】スキッドＡの最初の２つの容器が最大限に達したときの図３の構成を示す図である。
【図７】スキッドＡのすべての３つの容器が最大限に達して、流れがスキッドＢを通して再度ルート送りされており、保守点検のためにスキッドＡを切り離している構成を示す図である。
【図８】スキッドＡの最初の容器が保守点検されている図７の構成を示す図である。
【図９】スキッドＡの最初の２つの容器が保守点検されて、スキッドＢの最初の容器が部分的に積載されているときの図７の構成を示す図である。
【図１０】スキッドＡのすべての容器が保守点検されて、スキッドＢのすべての容器が部分的に積載されているときの図７の構成を示す図である。
【図１１】プロセス流れがスキッドＡを最初に通して次いでスキッドＢを通して方向付けされ、スキッドＢのすべての容器が部分的に積載される、構成を示す図である。
【図１２】スキッドＢの最初の２つの容器が最大限である図１１の構成を示す図である。
【図１３】スキッドＢのすべての容器が最大限であり、プロセス流れがスキッドＡを通して方向付けされ、保守点検のためにスキッドＢを切り離している構成を示す図である。
【図１４】スキッドＢの最初の容器が保守点検されているときの図１３の構成を示す図である。
【図１５】スキッドＢの最初の２つの容器が保守点検されて、スキッドＡの最初の容器が部分的に積載されているときの図１３の構成を示す図である。
【図１６】スキッドＡのすべての容器が保守点検されて、スキッドＢのすべての容器が部分的に積載されているときの図１３の構成を示す図である。
【図１７】スキッドＢのすべての容器が保守点検されて、スキッドＢがプロセス流れのスキッドＡに続いているオンラインに戻されるときの構成を示す図である。
【図１８】２つのＩＳＭ容器のための例示的なリード−ラグ構成を示す図である。
【図１９】作動中の３つの異なった時間における３つのＩＳＭ容器を含む例示的なリード−ラグ−ポリッシュシステムを示す図である。
【図２０】作動中の４つの異なった時間における４つのＩＳＭ容器を含む例示的なスタンバイシステム付きのリード−ラグ−ポリッシュシステムを示す図である。
【００１６】
［説明］
[0034]図面における要素及び動きは、簡略化のために例証しており、任意の特定のシーケンス又は実施形態に従っては、必ずしも表現していない。
【００１７】
[0035]以下の説明では、解説の目的のために、多数の具体的な詳細、プロセス持続時間、及び／又は、特定式の値については、例示的な実施形態の様々な態様の徹底的な理解を提供する目的で記載する。しかしながら、関連技術の当業者なら理解するであろうことは、本明細書中の装置、システム、及び方法が、これらの具体的な詳細、プロセス持続時間、及び／又は、特定式の値なしで、実施できるということである。理解すべきことは、他の実施形態が利用でき、構造的及び機能的な変更を、本明細書中の装置、システム、及び方法の範囲から逸脱することなく行うことができる、ということである。他の例では、公知の構造及びデバイスについては、例示的な実施形態を曖昧にするのを回避する目的で、より一般的に示すか議論している。多くのケースでは、操作の説明は、特に、操作がソフトウエアで実行されるべきときに、様々な形態を実施できるようにするのに十分である。留意すべきことは、開示する実施形態が適用され得る多くの異なった代替の構成、デバイス、及び技術が存在するということである。実施形態の全範囲は、下で説明する例に限定されない。
【００１８】
[0036]例証する実施形態の以下の例では、参照を行うのは、その一部分を形成すると共に、本明細書に開示するシステム、方法、プロセス、及び／又は、装置が実施され得る様々な実施形態が例証として示されている添付の図面である。理解すべきことは、他の実施形態が利用でき、構造的及び機能的な変更が、範囲から逸脱することなく行うことができる、ということである。
【００１９】
[0037]以下の開示は、イオン交換システムの連続的な操作に関する。イオン交換容器は、特定イオンを液体廃棄物ストリームから分離するために使用される。作動中、イオン交換容器の中のイオン交換媒体は、汚染物質を吸着して、積載状態になる。イオン交換媒体は、満載状態になると、更なる汚染物質をもはや吸着できず、したがって、もはや効果がない（即ち、最大限である）。連続的な作動を継続する目的で、多数の容器が必要である。実施形態によっては、２つ以上の容器が、サイクル化され、したがって、１つ又は複数の満載の容器が交換されることがあり、他方、１つ又は複数の運転中の容器は、作動中のままである。用語「運転中」とは、未だ最大限に達しておらず、更なる汚染物質を吸着できる容器を指す。
【００２０】
[0038]システム及び方法は、イオン交換システムを用いてイオンを液体から連続的に分離するために、本明細書に開示されている。中断の無い液体処理は、効率の向上とコストの削減を可能にする。更に、開示するシステム及び方法は、他の検討事項とバランスを取りながら、イオン交換媒体の使用を最大化する。例えば、放射性の用途のために、本明細書に開示するシステム及び方法は、シールドの制限付きのイオン交換媒体の完全利用と、崩壊熱を考慮したイオン交換媒体の完全利用、のうちの１つ又は複数を可能にすることがある。
【００２１】
[0039]実施形態によっては、１つ又は複数のイオン交換容器（イオン特定媒体容器、又はＩＳＭ容器とも呼ぶ）は、２０１５年６月２４日に出願された「Ｍｏｂｉｌｅ  Ｐｒｏｃｅｓｓｉｎｇ  Ｓｙｓｔｅｍ  ｆｏｒ  Ｈａｚａｒｄｏｕｓ  ａｎｄ  Ｒａｄｉｏａｃｔｉｖｅ  Ｉｓｏｔｏｐｅ  Ｒｅｍｏｖａｌ」シリアル番号第１４／７４８，５３５号（その全体を参照により本明細書に組み込む）に開示されたものなどのスキッド又はモジュールに包含されることがある。各スキッドは、１つ又は複数のＩＳＭ容器を含むことがある。図１に描写されている実施形態などの実施形態によっては、各スキッド１００は、３つのＩＳＭ容器２０１、２０２、２０３を含む。実施形態によっては、スキッド１００は、第４の位置２１０、又は、追加のＩＳＭ容器を含むことがある。１つより多くのＩＳＭ容器を有することは、流れ経路の変化を可能にし、継続した作動を可能にしながらのリードＩＳＭ容器の除去を可能にする。各システムで使用される容器の数は、物質移動ゾーンの予測を仮定すると媒体の最適化に依存することがある。実施形態によっては、２つ以上のスキッド１００は、連結されることがあり、したがって、システムを通して流れがどのように方向付けされるかにもよるが、並列に及び／又は直列に作動することがある。実施形態によっては、２つ以上のＩＳＭ容器は、１つ又は複数のスキッドの内部で並列なラインで運転されることがある。
【００２２】
[0040]ＩＳＭの性能は、空間速度（滞留時間）及び線速度の関数であり、それらは、両方とも処理速度の関数である。ＩＳＭ容器のサイズは、特定の用途、入力、流量、及び排出の条件のためにＩＳＭの性能を最適化するように、様々であることがある。実施形態によっては、１つ又は複数の容器は、１つ又は複数のスキッドで整列されることがあり、各容器は、流れが次の容器を通してルート送りされる前に最大限まで使用される（本明細書では「メリーゴーラウンド」効果と呼ぶ）。実施形態によっては、１つ又は複数の容器は、自由に動作するのを可能にされることがあり、１つ又は複数の容器を含む各スキッドは、単一の容器であるかのように動作することがある。本明細書で説明する描写されている実施形態では、各スキッドは、３つの容器を含み、単一の容器であるかのように自由に動作する。
【００２３】
[0041]明瞭にする目的のために、システム及び方法は、図１に描写されているスキッドの実施形態を参照して本明細書で説明する。しかしながら、明瞭なことは、システム及び方法が、より多い又はより少ない容器を包含するスキッドを含む他のイオン交換容器の構成、他のモバイル構成、及び、本明細書に明示的に開示も描写もされていない他の定着構成に適用されることがある、ということである。描写されている構成では、弁１１０は閉じており、弁１１５は開いており、流れ経路１２０は使用されておらず（薄い線で描写）、プロセス流れ１２５は、各描写されている構成のための現在のプロセス流れ経路である（濃い線で描写）。弁１１０及び１１５は、開いている及び閉じている流れ経路１２０及び１２５を示すためだけの例示である。より多い又はより少ない弁１１０及び１１５は、システムの様々な場所に組み込まれることがある。
【００２４】
[0042]図２は、流れがどのように方向付けされるかにもよるが、並列及び／又は直列で動作し得るように連結されている２つのスキッド１００ａ、ｂを描写している。１つ又は複数の弁１１０は、スキッド１００ａ、ｂ間に位置することがあり、したがって、流れは、必要に応じて方向付けされることがある。描写されている実施形態では、弁１１０は、ラインが流れ経路１２０に直角であるときに閉じており、ラインが流れ経路１２０に平行であるときに開いている。描写されている実施形態では、システムは不活動であり、流れ経路１２０は閉じられており、弁１１０のすべてが閉じられている。１つ又は複数の弁１１０は、システムにおけるそれらの場所に基づいて、体積流量若しくは質量流量、制御タイプ、安全性、及び他の検討事項に相応しいように、１つ又は複数のタイプのうちのいずれかであることがある。実施形態によっては、１つ又は複数の弁１１０は、モータ動作式であることがあり、したがって、遠隔で制御されることがある。
【００２５】
[0043]図３は、初期の流れの構成を描写しており、プロセス流れ１２５は、スキッドＡ１００ａを最初に通して次いでスキッドＢ１００ｂを通して方向付けされる。直列の最初のスキッドは、本明細書で「リード」スキッドと呼ばれ、第２のスキッドは、本明細書で「ラグ」スキッドと呼ばれる。対応するシステム及び方法は、本明細書で「リード−ラグ」と呼ばれる。スキッドＡ１００ａのＩＳＭ容器２０１ａ、２０２ａ、及び２０３ａは、スキッドＢ１００ｂのＩＳＭ容器２０１ｂ、２０２ｂ、及び２０３ｂよりも速い速度で、プロセス流れ１２５から汚染物質を吸着する。これが生じる理由は、プロセス流れ１２５が、プロセスを通して進行するので、少なめの汚染物質を包含するであろうからである。図３では、最初のＩＳＭ容器２０１ａは、部分的に積載されている。
【００２６】
[0044]図４〜６は、或る期間の図３の構成を描写している。時間が進行するにつれて、スキッドＡ１００ａのＩＳＭ容器２０１ａ、２０２ａ、及び２０３ａは、汚染物質を吸着し続け、そして、最大限、或いは、何か他の所定の限界に達する。明瞭にする目的のために、保守点検の準備ができた容器は、描写しているプロセスの実施形態に関して開示の残部のために「最大限」であるとして説明されるであろう。しかしながら、明瞭なことは、容器が幾つかの他の要因及び／又は所定制限に基づいて保守点検の準備ができていることがあるということである。所定制限は、貫流率、排出基準、及び／又は他の要因に基づくことがある。図４では、スキッドＡ１００ａの３つの容器２０１ａ、２０２ａ、及び２０３ａはすべて、部分的に積載されている。最初の容器２０１ａは、第２の容器２０２ａよりも最大限に近く、第２の容器は、第３の容器２０３ａよりも最大限に近い。図５では、最初の容器２０１ａは、最大限に達している。第２の容器２０２ａは、図６に描写するように最大限に達するまで、より速く積載を始める。
【００２７】
[0045]図７では、スキッドＡ１００ａの容器２０１ａ、２０２ａ、及び２０３ａのすべては、最大限に達している。スキッドＡ１００ａは、もはや汚染物質を吸着できず、容器２０１ａ、２０２ａ、及び２０３ａは、保守点検を必要とする。プロセス流れ１２５は、スキッドＡ１００ａが単離されて保守点検のためにオフラインに持って行かれる間だけ、スキッドＢ１００ｂの中を進むために再度ルート送りされる。スキッドＢ１００ｂはリードスキッドになり、汚染物質をより高い割合で吸着し始める。実施形態によっては、このステップは、プロセス開始後、およそ９０日で起こる。プロセス所要時間は、容器がいくつ使用されるか、容器のサイズと容量、標的イオン、標的廃水の仕様、流量、温度、及び、プロセスの他の変化量にもよるが、著しく様々であることがある。
【００２８】
[0046]スキッドがどのように保守点検され得るかについて、選択肢がいくつか存在する。１つの選択肢は、容器をスキッドから取り外さないで、媒体を所定位置で再生させることである。他の選択肢は、容器をスキッドから取り外して、新たな容器と交換することである。この選択肢では、容器は、同じか別の場所で個別に保守点検することができる。他の選択肢は、媒体を容器から取り外して、新鮮な媒体と交換することであり、その間、容器は所定位置のままである。湿式及び乾式の媒体の取り外し作業の双方は、同時係属出願「Ｉｏｎ  Ｓｐｅｃｉｆｉｃ  Ｍｅｄｉａ  Ｒｅｍｏｖａｌ  ｆｒｏｍ  Ｖｅｓｓｅｌ  ｆｏｒ  Ｖｉｔｒｉｆｉｃａｔｉｏｎ」（優先日が２０１５年２月１日であって、２０１６年２月１日に出願されたシリアル番号第１５／０１２，１０１号であり、その全体について参照により本明細書に組み込む）に説明されている。
【００２９】
[0047]図８〜１０は、或る期間の図７の構成の実施形態を描写している。プロセス流れ１２５は、スキッドＢ１００ｂを通って進み、他方、スキッドＡ１００ａは保守点検中である。時間が進行するにつれて、スキッドＢ１００ｂの容器２０１ｂ、２０２ｂ、及び２０３ｂは、汚染物質を吸着して、ますます積載されていくことになるであろう。図８では、実施形態例において、プロセス流れ１２５は、スキッドＢ１００ｂを通して方向付けされ、スキッドＡ１００ａの最初の容器２０１ａは、保守点検されている。図９では、実施形態が示されており、容器２０２ａは保守点検され、容器２０１ｂは部分的に積載されている。図１０では、実施形態において、スキッドＢ１００ｂの容器２０１ｂ、２０２ｂ、及び２０３ｂは、すべてが部分的に積載され、スキッドＡ１００ａのすべての容器２０１ａ、２０２ａ、及び２０３ａは、保守点検されている。繰り返すと、先行する図８〜１０の説明は、単なる実施形態であり、明瞭なことは、異なった順序及び時間の構成が可能であるということである。
【００３０】
[0048]図１１では、スキッドＡ１００ａのすべての容器２０１ａ、２０２ａ、及び２０３ａは、保守点検され、プロセス流れ１２５は、スキッドＡ１００ａを通して元にルート送りされ、スキッドＢ１００ｂは、リードスキッドのままであり、スキッドＡ１００ａは、ラグスキッドになる。リードスキッドの容器は、ラグスキッドの容器よりも高い割合で汚染物質を吸着するであろう。実施形態によっては、このステップは、プロセス開始後、およそ１２０日で起こる。プロセス所要時間は、容器がいくつ使用されるか、容器のサイズと容量、標的イオン、標的廃水の仕様、流量、温度、及び、プロセスの他の変化量にもよるが、著しく様々であることがある。図１２では、スキッドＢ１００ｂの容器２０１ｂ、２０２ｂ、及び２０３ｂは、ほぼ最大限である。
【００３１】
[0049]スキッドＢ１００ｂの容器２０１ｂ、２０２ｂ、及び２０３ｂが最大限に達したときに、プロセス流れ１２５は、図１３に描写しているように、スキッドＢ１００ｂから切り離されているスキッドＡ１００ａの中を進むように、再度方向付けされるであろう。スキッドＡ１００ａは、リードスキッドになり、スキッドＢ１００ｂは、保守点検のためにオフラインである。スキッドＢ１００ｂのための保守点検は、スキッドＡ１００ａのために開示された１つ又は複数の同じシステム及び方法を用いて、実行されることがある。
【００３２】
[0050]図１４〜１６は、或る期間の図１３の構成を描写している。プロセス流れ１２５は、スキッドＡ１００ａの中を進み、他方、スキッドＢ１００ｂは、保守点検中である。時間が進行するにつれて、スキッドＡ１００ａの容器２０１ａ、２０２ａ、及び２０３ａは、汚染物質を吸着して、ますます積載されていくことになるであろう。図１４では、プロセス流れ１２５は、スキッドＡ１００ａを通して方向付けされ、スキッドＢ１００ｂの最初の容器２０１ｂは、保守点検されている。図１５では、容器２０２ｂは保守点検され、容器２０１ａは部分的に積載されている。図１６では、スキッドＡ１００ａの容器２０１ａ、２０２ａ、及び２０３ａは、すべてが部分的に積載され、スキッドＢ１００ｂのすべての容器２０１ｂ、２０２ｂ、及び２０３ｂは、保守点検されている。先行する図１４〜１６の説明は、単なる可能な実施形態であり、明瞭なことは、異なった順序及び時間の構成が可能であるということである。
【００３３】
[0051]いったんスキッドＢ１００ｂの容器２０１ｂ、２０２ｂ、及び２０３ｂが保守点検されたら、スキッド１００ｂは、オンラインに持って行かれることがあり、プロセス流れ１２５は、図１７に示すように、ラグスキッドとしてのそれを通して導かれることがある。プロセスは、それから後は繰り返すことがある。実施形態によっては、システムは、連続的に動作することがある。
【００３４】
[0052]実施形態によっては、１つ又は複数のセンサは、システムの１つ又は複数の場所に組み込まれることがある。センサは、様々な処理、流れ、並びに、イオン濃度、流量、圧力、温度、時間、及び、放射能レベルをとりわけ含む環境条件をモニタするために使用されることがある。実施形態によっては、プロセス流れのイオン濃度は、各容器及び／又はスキッドの前及び後などでモニタされることがある。センサデータの幾つか又はすべては、オペレータにシステムの制御に関する警告、警報、及び／又は、提案を提供するために、制御システムによって使用されることがある。実施形態によっては、センサデータは、再ルート送りプロセス流れ、流入プロセス流れの化学的性質を変化させるための調整、シャットダウン、及び、環境制御を含むシステムレスポンスを自動的に引き起こすために使用されることがある。センサデータは、システムを離れる廃液が標的仕様を充足するかを決定するために使用されることがある。
【００３５】
[0053]実施形態によっては、２つ以上の容器は、スキッドに配置されることがある。実施形態によっては、２つ以上のＩＳＭ容器は、リード−ラグ、リード−ラグ−ポリッシュ、又は、スタンバイ付きのリード−ラグ−ポリッシュ構成で動作することがある。図１８に描写されている例示的な実施形態などのＩＳＭ容器４６０、４６１のためのリード−ラグ構成は、スキッドのために上で議論したのと同じ様式で動作する。
【００３６】
[0054]リード−ラグ−ポリッシュ構成は、リード−ラグ構成とほぼ同じように動作し、追加の容器は、リード容器が保守点検のためにオフラインに持って行かれるときに、ラグ容器として、循環される場合がある。リード−ラグ−ポリッシュ構成の容器は、図１９に描写しているように、リード、ラグ、及びポリッシュの役割を通して回転する。時間０では、容器４６０は、リード容器であり、容器４６１は、ラグ容器であり、容器４６２は、ポリッシュ容器である。時間１では、容器４６０は、最大限に達して、保守点検されるか又は交換されて、ポリッシュ容器になり、他方、容器４６１は、リード容器になり、容器４６２は、ラグ容器になる。時間２では、容器４６１は、最大限に達して、保守点検されるか又は交換されて、ポリッシュ容器になり、他方、容器４６２は、リード容器になり、容器４６０は、ラグ容器になる。プロセスは、実施形態によっては、連続的に動作することがある。
【００３７】
[0055]スタンバイ付きのリード−ラグ−ポリッシュ構成は、追加の１つ又は複数のスタンバイ容器を備えてリード−ラグ−ポリッシュと類似のやり方で動作する。この構成は、スタンバイ容器を列にポリッシュ容器として置くことによって、停止時間の限定を可能にし、その一方で、元のリード容器は、保守点検を受けている。保守点検中の容器は、準備ができたときには、新たなスタンバイ容器としてオンラインに戻される。図２０に描写している実施形態では、４つのＩＳＭ容器が使用されており、１つはリードであり、１つはラグであり、１つはポリッシュであり、１つはスタンバイである。時間０では、容器４６０はリード容器であり、容器４６１はラグ容器であり、容器４６２はポリッシュ容器であり、容器４６３はスタンバイ容器である。時間１では、容器４６０は、最大限に達して、保守点検されるか又は交換されて、スタンバイ容器になり、他方、容器４６１はリード容器になり、容器４６２はラグ容器になり、容器４６３はポリッシュ容器になる。時間２では、容器４６１は、最大限に達して、保守点検されるか又は交換されて、スタンバイ容器になり、他方、容器４６２はリード容器になり、容器４６３はラグ容器になり、容器４６０はポリッシュ容器になる。時間３では、容器４６２は、最大限に達して、保守点検されるか又は交換されて、スタンバイ容器になり、他方、容器４６３はリード容器になり、容器４６０はラグ容器になり、容器４６１はポリッシュ容器になる。プロセスは、実施形態によっては、連続的に動作することがある。
【００３８】
[0056]リード−ラグ構成、リード−ラグ−ポリッシュ構成、及び、スタンバイ付きのリード−ラグ−ポリッシュ構成は、ＩＳＭ容器及び／又はＩＳＭスキッドに適用されることがある。
【００３９】
［モバイル処理システムの実施形態］
[0057]モバイル処理システム（ＭＰＳ）は、１つ又は複数の形式の液体処理を含むことがある移動式の液体処理システムである。ＭＰＳは、システムが展開され得る際の速度及び容易性を更に向上させる場所間と現場での可動性の増加のために、本明細書ではスキッド又はモジュールと呼ばれる、標準寸法のインターモーダルコンテナ又は特注設計のエンクロージャから移動及び作動の双方が行われるように設計される。スキッドは、任意の与えられた場所のための救済条件のすべてを実行する目的で、並列及び／又は直列に連結されることがある。
【００４０】
[0058]特定の場所の必要性にもよるが、１つ又は複数の異なったプロセスは、使用されることがある。実施形態によっては、１つ又は複数の同じモジュールは、同じ動作で使用されることがある。例えば、２つ以上の分かれたイオン特定媒体（ＩＳＭ）モジュールは、直列及び／又は並列で使用されることがある。実施形態によっては、２つ以上のＩＳＭモジュールは、上で説明したリード／ラグの概念に従って、スタンドアロンか又はＭＰＳの一部として、動作することがある。本明細書に明白に開示されてはいない他の構成の変形例は、実装されることがある。
【００４１】
[0059]更なる説明は、優先日が２０１４年６月２４日であって、２０１５年６月２４日に出願された「Ｍｏｂｉｌｅ  Ｐｒｏｃｅｓｓｉｎｇ  Ｓｙｓｔｅｍ  ｆｏｒ  Ｈａｚａｒｄｏｕｓ  ａｎｄ  Ｒａｄｉｏａｃｔｉｖｅ  Ｉｓｏｔｏｐｅ  Ｒｅｍｏｖａｌ」と題する米国特許出願シリアル番号第１４／７４８，５３５号に見出すことができ、参照により本開示の先のパラグラフに組み込む。
【００４２】
[0060]便宜的な目的のため、動作は、様々な相互連結された機能ブロック又は区別可能なソフトウエアモジュールとして説明している。しかしながら、それは必然ではなく、それらの機能ブロックやモジュールが境界の曖昧な単一の論理デバイス、プログラム、又は動作に等価的に集成されるというケースもあり得る。いずれにしても、機能ブロックやソフトウエアモジュール或いは説明した特徴は、それら自体によって、或いは、ハードウエアかソフトウエアのどちらかにおける他の動作との組合せで、実装される場合がある。
【００４３】
[0061]本明細書に開示したシステム、方法、プロセス、及び／又は、装置の原理をその好適な実施形態で説明及び例証してきたが、明らかであろうことは、システム、方法、プロセス、及び／又は、装置が、そういった原理から逸脱することなく、その配置で詳細に修正できるということである。
【００４４】
[0062]排他的な権利又は特権が特許請求の範囲に記載される実施形態は、以下のように定義される。
【図１】
2019531885.tif 000003
【図２】
2019531885.tif 000004
【図３】
2019531885.tif 000005
【図４】
2019531885.tif 000006
【図５】
2019531885.tif 000007
【図６】
2019531885.tif 000008
【図７】
2019531885.tif 000009
【図８】
2019531885.tif 000010
【図９】
2019531885.tif 000011
【図１０】
2019531885.tif 000012
【図１１】
2019531885.tif 000013
【図１２】
2019531885.tif 000014
【図１３】
2019531885.tif 000015
【図１４】
2019531885.tif 000016
【図１５】
2019531885.tif 000017
【図１６】
2019531885.tif 000018
【図１７】
2019531885.tif 000019
【図１８】
2019531885.tif 000020
【図１９】
2019531885.tif 000021
【図２０】
2019531885.tif 000022
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
プロセス液体の連続的な処置のためのシステムであって、
場所間を移動されるようにそれぞれ構成された、複数のモジュラースキッドを含み、
前記複数のモジュラースキッドは、並列又は直列の構成で連結されることができ、かつ、１つ又は複数のイオン交換容器を含む第１のイオン交換システムを備える第１のモジュラースキッドと、１つ又は複数のイオン交換容器を含む第２のイオン交換システムを備える第２のモジュラースキッドと、を含み、
前記システムは、方法を実行するように動作可能に構成され、前記方法は、
リード位置の前記第１のイオン交換システムに、プロセス液体を受容することであって、前記第１のイオン交換システムが前記プロセス液体から汚染物質を吸着して汚染物質の減少したプロセス液体をもたらす、受容することと、
ラグ位置の前記第２のイオン交換システムに、汚染除去物を受容することと、
その中に包含される前記１つ又は複数のイオン交換容器が所定の吸着限度に達したときに、前記システムから前記第１のイオン交換システムを保守点検のために取り外すことと、
前記第２のイオン交換システムに、プロセス液体を受容することであって、前記第２のイオン交換システムが前記リード位置にあり、前記第２のイオン交換システムが汚染物質を前記プロセス液体から吸着して汚染物質の減少したプロセス液体をもたらす、受容することと、
ラグ位置に前記第１のイオン交換システムを再導入することと、
前記第１のイオン交換システムに前記汚染物質の減少したプロセス液体を受容することと、
前記第２のイオン交換システムの中に包含される前記１つ又は複数のイオン交換容器が所定の吸着限度に達したときに、前記システムから前記第２のイオン交換システムを保守点検のために取り外すことと、
前記第１のイオン交換システムに、プロセス液体を受容することであって、前記第１のイオン交換システムが前記リード位置にあり、前記プロセス液体から汚染物質を吸着して汚染物質の減少したプロセス液体をもたらす、受容することと、
ラグ位置に前記第２のイオン交換システムを再導入することと、
を含むシステム。
【国際調査報告】
2019531885.tif 000023
2019531885.tif 000024